(57)【要約】【課題】編集内容の漏れのない確認を容易に実現することを容易にできるようにする。【解決手段】  編集部１５１は、動画像を含むクリップを単位として、複数のクリップから構成されるコンテンツを部分的に編集する。計測部１５２は、編集された部分が再生される毎に、編集された部分を内部又は接続点に含むクリップの１回分の再生として計測することによって、コンテンツを構成する複数のクリップの再生のそれぞれの合計回数を計測する。クリップ設定部１７３は、複数のクリップの各々を、計測された合計回数に基づいて、複数の種類のうち何れかに設定する。マーク付加部１９３は、コンテンツの少なくとも一部に対して、設定された種類に応じたマークをクリップ単位で付加する画像処理を実行する。再生制御部１３４は、画像処理が施されたコンテンツの再生を制御する。本発明は、コンテンツの編集を行う編集装置に適用することができる。【選択図】図３
2012085186.tif 000002
【特許請求の範囲】
【請求項１】
動画像を含むクリップを単位として、複数のクリップから構成されるコンテンツを部分的に編集する編集手段と、
前記コンテンツのうち前記編集手段により編集された部分が再生される毎に、前記部分を内部又は接続点に含むクリップの１回分の再生として計測することによって、前記コンテンツを構成する前記複数のクリップの再生のそれぞれの合計回数を計測する計測手段と、
前記コンテンツを構成する前記複数のクリップの各々を、前記計測手段により計測された前記合計回数に基づいて、複数の種類のうち何れかに設定するクリップ設定手段と、
前記コンテンツの少なくとも一部に対して、前記クリップ設定手段により設定された種類に応じたマークをクリップに付加する画像処理を実行するマーク付加手段と、
前記マーク付加手段により前記画像処理が施された前記コンテンツの再生を制御する再生制御手段と
を備える編集装置。
【請求項２】
前記クリップ設定手段は、前記コンテンツを構成する前記複数のクリップの各々のうち、前記合計回数が第１閾値以下のクリップを第１の種類に設定し、前記第１閾値より大きい第２閾値以上のクリップを第２の種類に設定し、それ以外のクリップを第３の種類に設定し、
前記マーク付加手段は、前記第１の種類に設定されたクリップに対して第１のマークを付加し、前記第２の種類に設定されたクリップに対して第２のマークを付加する
請求項１に記載の編集装置。
【請求項３】
前記マーク付加手段は、さらに、前記第３の種類に設定されたクリップに対して、再生予定のｍ個（ｍは１以上の整数値）先までの各クリップの中に前記第１のクリップが少なくとも１つ含まれる場合、第３のマークを付加する
請求項２に記載の編集装置。
【請求項４】
前記第３のマークは、点滅表示するマークである
請求項３に記載の編集装置。
【請求項５】
前記マークは、前記クリップの外周に配置された外枠である
請求項４に記載の編集装置。
【請求項６】
ユーザの入力操作による各種指示を受け付ける入力手段をさらに備え、
前記クリップ設定手段は、前記入力手段により受け付けられた指示に基づいて、前記複数のクリップを、前記複数の種類の何れかに設定する
請求項１に記載の編集装置。
【請求項７】
前記編集手段は、隣接する２つのクリップのつなぎ点を編集し、
前記計測手段は、前記つなぎ点が再生された場合、前記隣接する２つのクリップのそれぞれの１回分の再生として計測する
請求項６に記載の編集装置。
【請求項８】
前記計測手段は、所定のつなぎ点によりつながれた２つのクリップのうち少なくとも一方の内容が、前記編集手段による編集により変化した場合、前記２つのクリップの再生のそれぞれの合計回数をリセットする
請求項７に記載の編集装置。
【請求項９】
前記第３のマークは、前記第１のマークが付加された前記クリップが再生されるまでの間隔を表わす機能を有するマークである
請求項３に記載の編集装置。
【請求項１０】
動画像を含むクリップを単位として、複数のクリップから構成されるコンテンツを部分的に編集する編集ステップと、
前記コンテンツのうち前記編集ステップの処理により編集された部分が再生される毎に、前記部分を内部又は接続点に含むクリップの１回分の再生として計測することによって、前記コンテンツを構成する前記複数のクリップの再生のそれぞれの合計回数を計測する計測ステップと、
前記コンテンツを構成する前記複数のクリップの各々を、前記計測ステップの処理により計測された前記合計回数に基づいて、複数の種類のうち何れかに設定するクリップ設定ステップと、
前記コンテンツの少なくとも一部に対して、前記クリップ設定ステップの処理により設定された種類に応じたマークをクリップに付加する画像処理を実行するマーク付加ステップと、
前記マーク付加ステップの処理により前記画像処理が施された前記コンテンツの再生を制御する再生制御ステップと
を含む編集方法。
【請求項１１】
動画像を含むクリップを単位として、複数のクリップから構成されるコンテンツを部分的に編集し、
前記コンテンツのうち編集された部分が再生される毎に、前記部分を内部又は接続点に含むクリップの１回分の再生として計測することによって、前記コンテンツを構成する前記複数のクリップの再生のそれぞれの合計回数を計測し、
前記コンテンツを構成する前記複数のクリップの各々を、計測された前記合計回数に基づいて、複数の種類のうち何れかに設定し、
前記コンテンツの少なくとも一部に対して、設定された種類に応じたマークをクリップに付加する画像処理を実行し、
前記画像処理が施された前記コンテンツの再生を制御する
ステップを含む制御処理をコンピュータに実行させるプログラム。
【発明の詳細な説明】
【技術分野】
【０００１】
本発明は、編集装置及び方法、並びにプログラムに関し、特に、編集内容の漏れのない確認を容易に実現することが可能になる、編集装置及び方法、並びにプログラムに関する。
【背景技術】
【０００２】
従来から、編集装置は、編集者による編集操作にしたがって、動画像や音声から構成されるコンテンツのデータを部分的に編集できるようになっている。この場合、編集者は、編集操作を行うたびに、編集したコンテンツの一部分をその都度再生することによって、編集内容を確認している。そして、編集者は、編集操作が終了すると、編集後のコンテンツ全体を再生することによって、最終確認をする（特許文献１参照）。
【先行技術文献】
【特許文献】
【０００３】
【特許文献１】特開２００９−２４６９８９号公報
【発明の概要】
【発明が解決しようとする課題】
【０００４】
しかしながら、編集者にとっては、最終確認のためのコンテンツ全体の再生時に、一定の集中力を一貫して維持し続けることは困難である。特に、編集者にとっては、コンテンツの一部分の編集の確認作業として繰り返し再生した当該一部分は見飽きているため、その前後の再生時に注意力が散漫になってしまうことが多い。このように、編集者が、最終確認時に注意力が散漫になると、コンテンツのデータの編集が不完全な状態であってもその不完全さに気付かずに、編集内容に問題はないという最終判断をしてしまうおそれがある。このような場合、編集が不完全な状態のままのコンテンツが作成されてしまうことになる。
【０００５】
本発明は、このような状況に鑑みてなされたものであり、編集内容の漏れのない確認を容易に実現できるようにしたものである。
【課題を解決するための手段】
【０００６】
本発明の一側面の編集装置は、動画像を含むクリップを単位として、複数のクリップから構成されるコンテンツを部分的に編集する編集手段と、前記コンテンツのうち前記編集手段により編集された部分が再生される毎に、前記部分を内部又は接続点に含むクリップの１回分の再生として計測することによって、前記コンテンツを構成する前記複数のクリップの再生のそれぞれの合計回数を計測する計測手段と、前記コンテンツを構成する前記複数のクリップの各々を、前記計測手段により計測された前記合計回数に基づいて、複数の種類のうち何れかに設定するクリップ設定手段と、前記コンテンツの少なくとも一部に対して、前記クリップ設定手段により設定された種類に応じたマークをクリップに付加する画像処理を実行するマーク付加手段と、前記マーク付加手段により前記画像処理が施された前記コンテンツの再生を制御する再生制御手段とを備える。
【０００７】
前記クリップ設定手段は、前記コンテンツを構成する前記複数のクリップの各々のうち、前記合計回数が第１閾値以下のクリップを第１の種類に設定し、前記第１閾値より大きい第２閾値以上のクリップを第２の種類に設定し、それ以外のクリップを第３の種類に設定し、前記マーク付加手段は、前記第１の種類に設定されたクリップに対して第１のマークを付加し、前記第２の種類に設定されたクリップに対して第２のマークを付加することができる。
【０００８】
前記マーク付加手段は、さらに、前記第３の種類に設定されたクリップに対して、再生予定のｍ個（ｍは１以上の整数値）先までの各クリップの中に前記第１のクリップが少なくとも１つ含まれる場合、第３のマークを付加することができる。
【０００９】
前記第３のマークは、点滅表示するマークとすることができる。
【００１０】
前記マークは、前記クリップの外周に配置された外枠とすることができる。
【００１１】
ユーザの入力操作による各種指示を受け付ける入力手段をさらに備え、前記クリップ設定手段は、前記入力手段により受け付けられた指示に基づいて、前記複数のクリップを、前記複数の種類の何れかに設定することができる。
【００１２】
前記編集手段は、隣接する２つのクリップのつなぎ点を編集し、前記計測手段は、前記つなぎ点が再生された場合、前記隣接する２つのクリップのそれぞれの１回分の再生として計測することができる。
【００１３】
前記計測手段は、所定のつなぎ点によりつながれた２つのクリップのうち少なくとも一方の内容が、前記編集手段による編集により変化した場合、前記２つのクリップの再生のそれぞれの合計回数をリセットすることができる。
【００１４】
前記第３のマークは、前記第１のマークが付加された前記クリップが再生されるまでの間隔を表わす機能を有するマークとすることができる。
【００１５】
本発明の一側面の編集処理方法及びプログラムは、上述した本発明の一側面の編集装置に対応する方法及びプログラムである。
【００１６】
本発明の一側面の編集装置及び方法並びにプログラムにおいては、動画像を含むクリップを単位として、複数のクリップから構成されるコンテンツが部分的に編集され、前記コンテンツのうち編集された部分が再生される毎に、前記部分を内部又は接続点に含むクリップの１回分の再生として計測されることによって、前記コンテンツを構成する前記複数のクリップの再生のそれぞれの合計回数が計測される。前記コンテンツを構成する前記複数のクリップの各々が、計測された前記合計回数に基づいて、複数の種類のうち何れかに設定され、前記コンテンツの少なくとも一部に対して、設定された種類に応じたマークがクリップに付加される画像処理が実行され、前記画像処理が施された前記コンテンツの再生が制御される。
【発明の効果】
【００１７】
以上のごとく、本発明によれば、編集内容の漏れのない確認を容易に実現することができる。
【図面の簡単な説明】
【００１８】
【図１】本発明が適用される編集装置の一実施形態のハードウェア構成例を示すブロック図である。
【図２】コンテンツの編集に関する各種機能を実現させるための機能的構成例を示すブロック図である。
【図３】編集制御部の詳細な機能的構成例を示すブロック図である。
【図４】確認用再生処理の流れを説明するフローチャートである。
【図５】編集処理の流れを説明するフローチャートである。
【図６】編集対象のクリップの編集について説明する図である。
【図７】編集テーブルの一例を示す図である。
【図８】クリップ分類処理の流れを説明するフローチャートである。
【図９】最終編集確認用再生処理の流れを説明するフローチャートである。
【図１０】最終編集確認用再生の具体例について説明する図である。
【図１１】最終編集確認用再生の他の具体例について説明する図である。
【図１２】最終編集確認用再生の他の具体例について説明する図である。
【発明を実施するための形態】
【００１９】
[編集装置の構成例]
図１は、本発明が適用される編集装置の一実施形態のハードウェア構成例を示すブロック図である。
【００２０】
図１において、CPU（Central Processing Unit）２１は、ROM（Read Only Memory）２２に記録されているプログラムにしたがって各種の処理を実行する。または、記憶部２９からRAM（Random Access Memory）２３にロードされたプログラムにしたがって各種の処理を実行する。RAM２３にはまた、CPU２１が各種の処理を実行する上において必要なデータなども適宜記憶される。
【００２１】
例えば本実施の形態では、後述する図２の編集制御部７１及び書込読出処理部７２の各機能を実行するプログラムが、ROM２２や記憶部２９に記憶されている。したがって、CPU２１が、このプログラムに従った処理を実行することで、編集制御部７１及び書込読出処理部７２の各機能を実現することができる。
【００２２】
CPU２１、ROM２２、及びRAM２３は、バス２４を介して相互に接続されている。このバス２４にはまた、入出力インタフェース２５も接続されている。
【００２３】
入出力インタフェース２５には、入力部２６、出力信号生成部２７、記憶部２９、及び通信部３０が接続されている。
【００２４】
入力部２６は、例えばキーボードやマウス等から構成され、各種情報を編集装置１に入力する。例えば、入力部２６は、編集者からの入力操作による各種指示を受け付ける。
【００２５】
出力信号生成部２７は、編集装置１の外部に出力する出力信号を生成し、出力部２８に供給する。出力部２８は、ディスプレイやスピーカ等から構成され、供給された出力信号に対応する動画像や音声等を出力する。
【００２６】
記憶部２９は、例えばハードディスク等から構成され、各種情報を記憶する。例えば、編集前後を通じて、編集対象のコンテンツのデータが記憶部２９に記憶される。
【００２７】
通信部３０は、例えばモデムやターミナルアダプタ等から構成され、インターネットを含むネットワークを介して他の装置（図示せず）との間で行う通信を制御する。
【００２８】
入出力インタフェース２５にはまた、必要に応じてドライブ３１が接続され、磁気ディスク、光ディスク、光磁気ディスク、或いは半導体メモリなどよりなるリムーバブルメディア３２が適宜装着される。そして、それらから読み出されたコンピュータプログラムが、必要に応じて記憶部２９にインストールされる。
【００２９】
なお、本実施形態では、処理の単位としては、クリップが採用される。本実施形態においてクリップは、撮影の開始の指示（以下、開始点と称する）からその撮影の終了の指示（以下、終了点と称する）までの間に撮影された結果得られる動画像をいい、必要に応じて、当該動画像とともに録音された音声も含む。したがって、以下、開始点から終了点までの動画データ、開始点から終了点までの音声データ、及び当該動画データ又は当該音声データの付属情報をまとめて、クリップデータと称する。
【００３０】
本実施形態では、複数のクリップが接続されることによって1つのコンテンツが構成される。ここで、接続とは、クリップデータを直接繋げて１つのまとまったデータにする場合のみならず、クリップデータは個別に記憶しておき、対応する２つのクリップを連続再生の指示をするプレイリストのデータと対応づけておく場合も含む。いずれにしても、本実施形態では、コンテンツの編集はクリップ単位で行われる。
【００３１】
[編集装置の機能的構成例]
図２は、図１の編集装置１が有する機能のうち、コンテンツの編集に関する各種機能を実現させるための機能的構成例を示すブロック図である。
【００３２】
すなわち、コンテンツの編集に関する各種機能を実現させるために、CPU２１、入力部２６、出力信号生成部２７、出力部２８、記憶部２９、及び通信部３０の各々は、次のような機能的構成を有している。
【００３３】
すなわち、CPU２１は、編集制御部７１及び書込読出処理部７２を有している。出力信号生成部２７は、動画出力信号生成部９１及び音声出力信号生成部９２を有している。出力部２８は、表示部１１１及び音声出力部１１２を有している。通信部３０は、情報検出部５１及びデータベース化処理部５２を有している。
【００３４】
情報検出部５１は、外部の図示せぬ撮像装置から出力されたクリップデータを取得し、当該クリップデータから付属情報を検出する。本実施形態では、付属情報は、クリップの開始点及び終了点の各時刻を示す時刻情報であるとする。情報検出部５１は、検出された付属情報、並びに、クリップデータに含まれる動画データ、及び音声データを、データベース化処理部５２に供給する。
【００３５】
データベース化処理部５２は、付属情報、動画データ、及び音声データの各々を関連付けてデータベース化し、その結果得られるデータベースを記憶部２９に記憶させる。また、データベース化処理部５２は、付属情報、動画データ、及び音声データに基づいて、クリップの内容を確認可能とするデータベース情報を生成して、編集制御部７１に供給する。データベース情報は、クリップの内容を識別可能な情報であれば足り、例えば、サムネイル、クリップの時間長、動画データの設定フレームレート、記憶部２９における記憶位置等の情報から構成される。
【００３６】
編集制御部７１は、編集者による入力部２６の指示操作の内容や、データベース化処理部５２から供給されたデータベース情報にしたがって、コンテンツのデータの編集に関する各種制御を実行する。
【００３７】
例えば、編集制御部７１は、書込読出処理部７２を制御して、複数のクリップデータを繋げることによって作成したコンテンツのデータを、記憶部２９に書き込む。
【００３８】
また例えば、編集制御部７１は、書込読出処理部７２を制御して、記憶部２９に記憶されたコンテンツのデータを読み出す。編集制御部７１は、各種指示にしたがって、読み出したコンテンツのデータをクリップ単位で編集する。そして、編集制御部７１は、書込読出処理部７２を制御して、編集後のコンテンツのデータを記憶部２９に書き込む。
【００３９】
また例えば、編集制御部７１は、動画出力信号生成部９１及び音声出力信号生成部９２を制御して、編集中又は編集後のコンテンツの再生を制御する。
【００４０】
具体的には例えば、編集制御部７１は、編集中又は編集後のコンテンツについての動画像の表示を制御すべく、対応する動画データを動画出力信号生成部９１に供給する。動画出力信号生成部９１は、供給された動画データに基づいて、表示部１１１のフォーマットに準拠した動画信号を出力信号として生成し、表示部１１１に供給する。表示部１１１は、供給された動画信号に対応する動画像、すなわち、編集中又は編集後のコンテンツについての動画像を表示する。
【００４１】
また例えば、編集制御部７１は、編集中又は編集後のコンテンツについての音声の出力を制御すべく、対応する音声データを音声出力信号生成部９２に供給する。音声出力信号生成部９２は、供給された音声データに基づいて、音声出力部１１２のフォーマットに準拠した音声信号を出力信号として生成し、音声出力部１１２に供給する。音声出力部１１２は、供給された音声信号に対応する音声、すなわち、編集中又は編集後のコンテンツについての音声を出力する。
【００４２】
編集制御部７１の制御による編集中又は編集後のコンテンツの再生は、次のような第１の再生と第２の再生とに大別される。
【００４３】
第１の再生とは、コンテンツのデータがクリップ単位で部分的に編集されている最中又はその編集後において、コンテンツのうち編集部分（すなわち、クリップよりも短い部分も含む）を編集者が確認するために行われる、コンテンツの部分的な再生をいう。このような第１の再生を、以下、部分編集確認用再生と称する。また、部分編集確認用再生時の編集者による確認を、以下、部分編集確認と称する。
【００４４】
一方、第２の再生とは、編集操作が全て終了した後において、編集後のコンテンツ全体を編集者が確認するために行われる、コンテンツ全体の再生をいう。このような第２の再生を、以下、最終編集確認用再生と称する。また、最終編集確認用再生時の編集者による確認を、以下、最終編集確認と称する。編集制御部７１は、最終編集確認用再生の制御として、部分編集確認用再生の合計回数に応じて分類されたクリップの種類毎に、異なるマークを動画像につけて再生する制御を実行する。このような最終編集確認用再生を行うための編集制御部７１による一連の制御処理を、以下、確認用再生処理と称する。確認用再生処理の詳細については、図４を参照して後述する。
【００４５】
[編集制御部の機能的構成例]
図３は、図２の編集制御部７１の詳細な機能的構成例を示すブロック図である。
【００４６】
編集制御部７１は、編集処理部１３１、クリップ分類部１３２、最終編集確認用再生処理部１３３、及び再生制御部１３４を有している。
【００４７】
編集処理部１３１は、編集部１５１、及び計測部１５２を有している。
【００４８】
編集部１５１は、コンテンツのデータをクリップ単位で部分的に編集する。例えば、編集部１５１は、編集対象のクリップデータに含まれる動画データに対して、色や明るさの調整、CG（Computer Graphics）画像挿入等の映像効果を施す画像処理を施すことによって、当該クリップデータを編集する。
【００４９】
計測部１５２は、後述する再生制御部１３４の制御により部分編集確認用再生が実行される毎に、再生回数を１だけインクリメントすることによって、部分編集確認用再生の合計回数を計測する。なお、計測部１５２による合計回数の計測の詳細については、図６と図７を参照して後述する。
【００５０】
このような、編集部１５１、及び計測部１５２を有する編集処理部１３１が実行する一連の処理を、編集処理と称し、図５を参照して後述する。
【００５１】
クリップ分類部１３２は、編集対象のコンテンツを構成するクリップの各々を、部分編集確認用再生の合計回数に応じて、第１の種類乃至第３の種類に分類すべく、閾値設定部１７１、判定部１７２、及びクリップ設定部１７３を有している。
【００５２】
第１の種類のクリップとは、部分編集確認用再生の合計回数が少なかったクリップ、例えば合計回数が第１閾値以下のクリップをいう。すなわち、第１の種類のクリップとは、部分編集確認用再生の合計回数が少ないため、換言すると、編集者の確認回数が少ないため、編集者は集中して最終編集確認を行う必要があるクリップをいう。そこで、第１の種類のクリップを、以下、「集中クリップ」と称する。
【００５３】
第２の種類のクリップとは、部分編集確認用再生の合計回数が多かったクリップ、例えば合計回数が第２閾値以上のクリップをいう。なお、第２閾値は第１閾値より大きいという関係が成立しているものとする。すなわち、第２の種類のクリップとは、部分編集確認用再生の合計回数が多いため、換言すると、編集者の確認回数が多いため、編集者はある程度気楽に最終編集確認を行うことができるクリップをいう。そこで、第２の種類のクリップを、以下、「気楽クリップ」と称する。
【００５４】
第３の種類のクリップとは、集中クリップにも気楽クリップにも分類されないクリップ、例えば、部分編集確認用再生の合計回数が第２閾値より小さく、第１閾値より大きいという関係が成立するクリップをいう。すなわち、第３の種類のクリップとは、編集者は通常の注意力で最終編集確認を行うことができるクリップをいう。そこで、第３の種類のクリップを、以下、「通常クリップ」と称する。
【００５５】
閾値設定部１７１は、上述した第１閾値及び第２閾値を設定する。
【００５６】
判定部１７２は、処理対象のクリップについての部分編集確認用再生の合計回数と、閾値設定部１７１により設定された第１閾値及び第２閾値の大小を判定する。
【００５７】
クリップ設定部１７３は、判定部１７２の判定結果に基づいて、処理対象のクリップを、気楽クリップ、集中クリップ、及び通常クリップのうちの何れかに設定する。すなわち、部分編集確認用再生の合計回数が第２閾値以上である場合、処理対象のクリップは、気楽クリップに設定される。一方、部分編集確認用再生の合計回数が第１閾値以下である場合、処理対象のクリップは、集中クリップに設定される。また、部分編集確認用再生の合計回数が第２閾値より小さく、第１閾値より大きい場合、処理対象のクリップは、通常クリップに設定される。
【００５８】
このような、閾値設定部１７１、判定部１７２、及びクリップ設定部１７３を有するクリップ分類部１３２が実行する一連の処理を、クリップ分類処理と称し、図８を参照して後述する。
【００５９】
最終編集確認用再生処理部１３３は、最終編集確認用再生時に、クリップの種類毎に異なるマークをつけて動画像を表示すべく、抽出部１９１、判定部１９２、及びマーク付加部１９３を有している。
【００６０】
抽出部１９１は、コンテンツのデータから、再生対象のクリップデータを抽出する。
【００６１】
判定部１９２は、抽出部１９１により再生対象として抽出されたクリップデータの種類を判定する。すなわち、判定部１９２によって、再生対象のクリップデータが、気楽クリップ、集中クリップ、及び通常クリップのうち何れの種類のデータであるのかが判定される。
【００６２】
マーク付加部１９３は、判定部１９２により判定された種類に対応付けられたマークを、再生対象のクリップ内の動画像に付加するように、再生対象のクリップデータを加工する。この実施形態の場合、マークとして外枠が用いられる。
【００６３】
このような、抽出部１９１、判定部１９２、マーク付加部１９３を有する最終編集確認用再生処理部１３３が実行する一連の処理を、最終編集確認用再生処理と称し、図９を参照して後述する。
【００６４】
再生制御部１３４は、編集処理部１３１によってコンテンツデータの一部分がクリップ単位で編集されている場合、部分編集確認用再生、すなわちコンテンツの編集部分のみを再生するための制御を実行する。また、再生制御部１３４は、編集処理部１３１による編集処理が終了した後、最終編集確認用再生、すなわち編集後のコンテンツ全体を再生するための制御を実行する。この場合、編集後のコンテンツのうち、動画像については、マーク付加部１９３によりクリップの種類毎に異なるマークが付加されて再生される。
【００６５】
次に、このような、編集処理部１３１、クリップ分類部１３２、最終編集確認用再生処理部１３３、及び再生制御部１３４を有する編集制御部７１が実行する確認用再生処理について説明する。
【００６６】
[確認用再生処理]
図４は、編集制御部７１による確認用再生処理の流れを説明するフローチャートである。
【００６７】
ステップＳ１において、編集制御部７１は、編集対象のクリップを設定する。この場合、編集対象として設定されるクリップは、所定のコンテンツに組み込まれているクリップであってもよいし、コンテンツに組み込まれる前の単体のクリップであってもよい。
【００６８】
ステップＳ２において、編集処理部１３１は、編集処理を実行する。すなわち、編集処理部１３１は、コンテンツのデータをクリップ単位で部分的に編集し、部分編集確認用再生の合計回数を計測する編集処理を実行する。
【００６９】
ここで、編集処理の詳細例について説明する。
【００７０】
[編集処理]
図５は、編集処理部１３１による編集処理の流れを説明するフローチャートである。
【００７１】
ステップＳ２１において、編集処理部１３１の計測部１５２は、編集対象のクリップの部分編集確認用再生の合計回数ｉを取得する。
【００７２】
ここで、図６と図７を参照して、合計回数ｉについて説明する。
【００７３】
[クリップの編集]
図６は、編集対象のクリップの編集について説明する図である。
【００７４】
図６Ａは、クリップＣＬ１を示している。横軸は時間軸を示しており、クリップＣＬ１は、開始点が時刻ｔ０であり、終了点が時刻ｔ５である。
【００７５】
ここで、クリップの開始点から終了点までの時間帯を撮影時間帯と称するものとする。編集部１５１は、クリップデータのうち、撮影時間帯の任意の第１の時刻から任意の第２の時刻までの動画データ（必要に応じて音声データも）を抽出することができる。すなわち、編集部１５１は、クリップデータの一部分を編集対象とすることもできる。すなわち、編集者は、入力部２６を操作して、第１の時刻を編集開始点として設定し、第２の時刻を編集終了点として設定することで、クリップデータのうち、所望の時間帯の動画データをシーンデータとして編集対象とすることができる。換言すると、シーンデータは、オリジナルのクリップデータから切り抜かれたクリップデータの一種と捉えることができる。なお、編集開始点と編集終了点が編集者により設定されなかった場合は、クリップの開始点と終了点がそのまま編集開始点と編集終了点として編集部１５１により設定され、クリップデータ全体、すなわち撮影時間帯全体の動画データがシーンデータとして編集対象になる。
【００７６】
図６Ａにおいては、クリップＣＬ１の撮影時間帯内で編集開始点と編集終了点が編集者により設定されなかったので、クリップＣＬ１の開始点の時刻ｔ０が編集開始点として、クリップＣＬ１の終了点の時刻ｔ５が編集終了点として、編集部１５１によりそれぞれ設定されている。したがって、クリップＣＬ１のデータ全体、すなわち、時刻ｔ０乃至ｔ５の撮影時間帯全体の動画データが、シーンデータＳＣ１として編集対象になる。
【００７７】
図６Ｂにおいては、クリップＣＬ２の撮影時間帯内で編集開始点と編集終了点が編集者により設定されている。すなわち、時刻ｔ１１が編集開始点として、時刻ｔ１３が編集終了点として、編集部１５１によりそれぞれ設定されている。したがって、時刻ｔ１１乃至ｔ１３の撮影時間帯の動画データが、シーンデータＳＣ１として編集対象になる。また、時刻ｔ１２が編集開始点として、時刻ｔ１５が編集終了点として、編集部１５１によりそれぞれ設定されている。したがって、時刻ｔ１２乃至ｔ１５の撮影時間帯の動画データが、シーンデータＳＣ２として編集対象になる。
【００７８】
編集対象のクリップデータのうちシーンデータに対して編集が施されると、計測部１５２は、図７に示される編集テーブルを更新する。
【００７９】
[編集テーブルの一例]
図７は、編集時に更新される編集テーブルの一例を示す図である。
【００８０】
図７の例では、編集テーブルは、行列構造を有している。以下、水平方向を行方向とし、垂直方向を列方向として説明する。
【００８１】
編集テーブルの所定の１行は、編集前の複数のオリジナルのクリップのうち、所定のクリップに対応している。編集テーブルの行方向には、「クリップ番号」、「シーン番号」、「編集開始点」、「編集終了点」、「再生回数」、及び「合計再生回数」という項目が設けられている。
【００８２】
所定の行の「クリップ番号」の項目には、当該行に対応するオリジナルのクリップを一意に識別するための番号が格納される。「シーン番号」には、当該行に対応するオリジナルのクリップについてのシーンデータを一意に識別するための番号が格納される。「編集開始点」には、当該シーンデータの編集開始点の時刻が格納され、「編集終了点」には、当該シーンデータの編集終了点の時刻が格納される。「再生回数」には、当該シーンデータについての部分編集確認用再生の回数ｋ（以下、シーンデータの再生回数ｋと称する）が格納される。「合計再生回数」には、当該行に対応するオリジナルのクリップについての部分編集確認用再生の合計回数ｉが格納される。１つのクリップデータには複数のシーンデータが含まれる場合もあるので、その場合には「合計再生回数」には、複数のシーンデータの各再生回数ｋを全て合計した回数が格納される。したがって、シーンデータの再生回数ｋが更新されると、それに伴い合計回数ｉも更新される。
【００８３】
例えば、図７の表の１行目に着目すると、クリップ番号「ＣＬ１」のクリップデータには、シーン番号「ＳＣ１」のシーンデータが含まれる。すなわち、図７の表の１行目に対応するクリップは、図６Ａに示すクリップＣＬ１に対応する。シーンデータＳＣ１は、編集開始点「ｔ０」から編集終了点「ｔ５」までの時間帯の動画データであり、シーンデータの再生回数ｋは「３」回である。クリップＣＬ１においては、シーン番号「ＳＣ１」のシーンデータ１つのみが編集対象であったため、シーンデータの再生回数ｋである「３」回がそのまま、クリップＣＬ１全体の部分編集確認用再生の合計回数ｉとなっている。
【００８４】
例えば、図７の表の２行目と３行目に着目すると、クリップ番号「ＣＬ２」のクリップデータには、シーン番号「ＳＣ１」と「ＳＣ２」のシーンデータが含まれる。すなわち、図７の表の２行目と３行目に対応するクリップは、図６Ｂに示すクリップＣＬ２に対応する。シーンデータ「ＳＣ１」は、編集開始点「ｔ１１」から編集終了点「ｔ１３」までの時間帯の動画データであり、シーンデータの再生回数ｋは「５」回である。シーンデータ「ＳＣ２」は、編集開始点「ｔ１２」から編集終了点「ｔ１５」までの時間帯の動画データであり、シーンデータの再生回数ｋは「２」回である。クリップＣＬ２においては、シーン番号「ＳＣ１」と「ＳＣ２」の２つのシーンデータが編集対象であったため、シーンデータの再生回数ｋである「５」回と「２」回を合計した「７」回が、クリップＣＬ２全体の部分編集確認用再生の合計回数ｉとなっている。
【００８５】
図５のフローチャートの説明に戻り、ステップＳ２１において、計測部１５２は、以上説明した図７の編集テーブルを参照して、編集対象のクリップに対応する行の「合計再生回数」の項目に格納されている値を、部分編集確認用再生の合計回数ｉとして取得する。
【００８６】
ステップＳ２２において、編集部１５１は、クリップデータを編集する。すなわち、編集部１５１は、編集対象のクリップデータのうちシーンデータに対して、例えば、色や明るさの調整、CG画像挿入等の映像効果を施すことによって、編集対象のクリップデータを編集する。以下、図６ＢのクリップＣＬ２のシーンデータＳＣ１に対して編集が施されたとして説明する。
【００８７】
ステップＳ２３において、再生制御部１３４は、編集部分についての部分編集確認用再生の制御を実行する。例えば本例では、ステップＳ２２の処理で編集された図６ＢのクリップＣＬ２のシーンデータＳＣ１が再生される。
【００８８】
ステップＳ２４において、計測部１５２は、編集対象のクリップについての部分編集確認用再生の合計回数ｉを１だけインクリメントする（ｉ＝ｉ＋１）。このとき、編集対象のシーンデータの再生回数ｋも１だけインクリメントされる（ｋ＝ｋ＋１）。例えば本例では、計測部１５２は、ステップＳ２３の処理で再生された図６ＢのクリップＣＬ２のシーンデータＳＣ１の再生回数ｋを１だけインクリメントする。それに伴い、計測部１５２は、合計回数ｉも１だけインクリメントする。
【００８９】
ステップＳ２５において、計測部１５２は、図７の編集テーブルのうち、編集対象のクリップに対応する行の「合計再生回数」の項目に、ステップＳ２５の処理でインクリメントした後の合計回数ｉを上書きする。すなわち、編集対象のクリップに対応する列の「合計再生回数」の項目の格納値が、１だけインクリメントされるように更新される。
【００９０】
ステップＳ２６において、編集部１５１は、編集操作が終了したかを判定する。
【００９１】
編集操作が未だ終了していない場合、ステップＳ２６においてＮＯであると判定されて、処理はステップＳ２１に戻され、それ以降の処理が繰り返される。すなわち、編集操作が終了するまでの間、ステップＳ２１乃至Ｓ２６のループ処理が繰り返され、編集対象のクリップについての部分編集確認用再生が行われ、その結果、合計回数ｉがインクリメントされる。例えば、この例の場合、図６ＢのクリップＣＬ２のシーンデータＳＣ１とシーンデータＳＣ２の編集操作が終了するまでの間、ステップＳ２１乃至Ｓ２６のループ処理が繰り返される。
【００９２】
その後、編集操作が終了した場合、ステップＳ２６においてＹＥＳであると判定されて、編集処理は終了する。すなわち、図４のステップＳ２の編集処理が終了し、処理はステップＳ３に進む。
【００９３】
ステップＳ３において、編集制御部７１は、編集対象として全てのクリップが設定されたかを判定する。
【００９４】
まだ全てのクリップが設定されていない場合、ステップＳ３においてＮＯであると判定されて、処理はステップＳ１に戻され、それ以降の処理が繰り返される。すなわち、全てのクリップが編集対象に設定されるまでの間、ステップＳ１乃至Ｓ３のループ処理が繰り返され、コンテンツのデータがクリップ単位で部分的に編集され、部分編集確認用再生の合計回数が計測される。
【００９５】
その後、全てのクリップが編集対象に設定された場合、ステップＳ３においてＹＥＳであると判定されて、処理はステップＳ４に進む。
【００９６】
ステップＳ４において、クリップ分類部１３２は、クリップ分類処理を実行する。すなわち、クリップ分類部１３２は、処理対象のクリップについての部分編集確認用再生回数と、第１閾値及び第２閾値の大小を判定し、気楽クリップ、集中クリップ、及び通常クリップのうちの何れかに、処理対象のクリップを分類するクリップ分類処理を実行する。
【００９７】
ここで、クリップ分類処理の詳細例について説明する。
【００９８】
[クリップ分類処理]
図８は、クリップ分類部１３２によるクリップ分類処理の流れを説明するフローチャートである。
【００９９】
ステップＳ４１において、クリップ分類部１３２の閾値設定部１７１は、入力部２６への編集者の入力操作に基づいて、第１閾値及び第２閾値を設定する。上述したように、第１閾値は、集中クリップとそれ以外のクリップを切り分けるための閾値であって、具体的には後述するステップＳ４３の処理に用いられる。第２閾値は、気楽クリップとそれ以外のクリップを切り分けるための閾値であって、具体的には後述するステップＳ４５の処理に用いられる。
【０１００】
ステップＳ４２において、判定部１７２は、編集対象のコンテンツから、処理対象のクリップを指定する。
【０１０１】
ステップＳ４３において、判定部１７２は、部分編集確認用再生の合計回数が第１閾値以下であるかを判定する。
【０１０２】
部分編集確認用再生の合計回数が第１閾値以下である場合、ステップＳ４３においてＹＥＳであると判定されて、処理はステップＳ４４に進む。
【０１０３】
ステップＳ４４において、クリップ設定部１７３は、処理対象のクリップを集中クリップに設定する。ステップＳ４４において、処理対象のクリップが集中クリップに設定されると、処理はステップＳ４８に進む。ステップＳ４８以降の処理については後述する。
【０１０４】
これに対して、部分編集確認用再生の合計回数が第１閾値より大きい場合、ステップＳ４３においてＮＯであると判定されて、処理はステップＳ４５に進む。
【０１０５】
ステップＳ４５において、判定部１７２は、部分編集確認用再生の合計回数が第２閾値以上であるかを判定する。
【０１０６】
部分編集確認用再生の合計回数が第２閾値以上である場合、ステップＳ４５においてＹＥＳであると判定されて、処理はステップＳ４６に進む。
【０１０７】
ステップＳ４６において、クリップ設定部１７３は、処理対象のクリップを気楽クリップに設定する。ステップＳ４６において、処理対象のクリップが気楽クリップに設定されると、処理はステップＳ４８に進む。ステップＳ４８以降の処理については後述する。
【０１０８】
これに対して、部分編集確認用再生の合計回数が第２閾値より小さい場合、ステップＳ４５においてＮＯであると判定されて、処理はステップＳ４７に進む。
【０１０９】
ステップＳ４７において、クリップ設定部１７３は、処理対象のクリップを通常クリップに設定する。すなわち、クリップ設定部１７３は、処理対象のクリップの部分編集確認用再生の合計回数が第１閾値より大きく、かつ第２閾値より小さい場合には、処理対象のクリップを通常クリップに設定する。ステップＳ４７において、処理対象のクリップが通常クリップに設定されると、処理はステップＳ４８に進む。
【０１１０】
ステップＳ４８において、判定部１７２は、全てのクリップが処理対象に指定されたかを判定する。
【０１１１】
まだ全てのクリップが処理対象に指定されていない場合、ステップＳ４８においてＮＯであると判定されて、処理はステップＳ４２に戻され、それ以降の処理が繰り返される。すなわち、全てのクリップが処理対象に指定されるまでの間、ステップＳ４２乃至Ｓ４８のループ処理が繰り返され、処理対象のクリップが、気楽クリップ、集中クリップ、及び通常クリップのうちの何れかに分類される。
【０１１２】
その後、全てのクリップが処理対象に指定された場合、ステップＳ４８においてＹＥＳであると判定されて、クリップ分類処理は終了する。すなわち、図４のステップＳ４の処理が終了して、処理はステップＳ５に進む。
【０１１３】
ステップＳ５において、最終編集確認用再生処理部１３３は、最終編集確認用再生処理を実行する。すなわち、最終編集確認用再生処理部１３３は、最終編集確認用再生時に、クリップの種類毎に異なるマークを付加して動画像を表示する。
【０１１４】
ここで、最終編集確認用再生処理の詳細例について説明する。
【０１１５】
[最終編集確認用再生処理]
図９は、最終編集確認用再生処理部１３３による最終編集確認用再生処理の流れを説明するフローチャートである。
【０１１６】
ステップＳ６１において、最終編集確認用再生処理部１３３の抽出部１９１は、コンテンツのデータから、再生対象のクリップデータを抽出する。
【０１１７】
ステップＳ６２において、判定部１９２は、再生対象のクリップデータが集中クリップであるかを判定する。
【０１１８】
再生対象のクリップデータが集中クリップである場合、ステップＳ６２においてＹＥＳであると判定されて、処理はステップＳ６３に進む。
【０１１９】
ステップＳ６３において、マーク付加部１９３は、集中クリップのクリップデータに対して、第１のマークのデータを付加する。ここで、集中クリップは、最終編集確認時に編集者が集中して確認作業を行う必要があることから、集中クリップに対して付加される第１のマークは、例えば赤等の目立つ色のマーク（この実施形態の場合、枠）が採用される。
【０１２０】
ステップＳ６４において、再生制御部１３４は、第１のマークのデータが付加された集中クリップのクリップデータを再生するための制御を実行する。第１のマークのデータが付加された集中クリップのクリップデータが再生されると、処理はステップＳ７２に進む。ステップＳ７２以降の処理については後述する。
【０１２１】
これに対して、再生対象のクリップデータが集中クリップでない場合、ステップＳ６２においてＮＯであると判定されて、処理はステップＳ６５に進む。
【０１２２】
ステップＳ６５において、判定部１９２は、再生対象のクリップデータが気楽クリップであるかを判定する。
【０１２３】
再生対象のクリップデータが気楽クリップである場合、ステップＳ６５においてＹＥＳであると判定されて、処理はステップＳ６６に進む。
【０１２４】
ステップＳ６６において、マーク付加部１９３は、気楽クリップのクリップデータに対して、第２のマークのデータを付加する。ここで、気楽クリップは、最終編集確認時にある程度気楽に確認作業を行うことができることから、気楽クリップに対して付加される第２のマークは、例えば緑等の目立たない色のマーク（この実施形態の場合、枠）が採用される。
【０１２５】
ステップＳ６７において、再生制御部１３４は、第２のマークのデータが付加された気楽クリップのクリップデータを再生するための制御を実行する。第２のマークのデータが付加された気楽クリップのクリップデータが再生されると、処理はステップＳ７２に進む。ステップＳ７２以降の処理については後述する。
【０１２６】
これに対して、再生対象のクリップデータが気楽クリップでない場合、すなわち通常クリップである場合、ステップＳ６５においてＮＯであると判定されて、処理はステップＳ６８に進む。
【０１２７】
ステップＳ６８において、判定部１９２は、再生対象のクリップデータが通常クリップのうち、注意喚起クリップであるかを判定する。注意喚起クリップとは、編集者に対して集中クリップの再生が近いことの注意を喚起するクリップであり、通常クリップのうち、１乃至ｍ個先までに再生される各クリップの中に集中クリップが少なくとも１つ含まれるものをいう。なお、注意喚起クリップについては、図１０を参照して後述する。
【０１２８】
再生対象のクリップデータが通常クリップのうち、注意喚起クリップである場合、ステップＳ６８においてＹＥＳであると判定されて、処理はステップＳ６９に進む。
【０１２９】
ステップＳ６９において、マーク付加部１９３は、注意喚起クリップのクリップデータに対して、第３のマークのデータを付加する。例えば最終編集確認時に通常クリップが再生されていた状態から突然集中クリップが再生された場合、編集者は通常の注意力で確認作業を行うことができる状態から、急に集中して確認作業を行う状態に切り替えなければならない。このような場合、編集者は注意力を素早く切り替えなくてはならず、うまく切り替えられなかった場合にはコンテンツのデータの編集が不完全な状態であってもその不完全さに気付かずに、編集内容に問題はないという最終判断をしてしまうおそれがある。したがって、編集者に注意を喚起するために、注意喚起クリップに対して付加される第３のマークは、例えば第１のマークよりも目立つ色、例えば黄等の目立つ色のマーク（この実施形態の場合、枠）が採用される。
【０１３０】
ステップＳ７０において、再生制御部１３４は、第３のマークのデータが付加された注意喚起クリップのクリップデータを再生するための制御を実行する。第３のマークのデータが付加された注意喚起クリップのクリップデータが再生されると、処理はステップＳ７２に進む。ステップＳ７２以降の処理については後述する。
【０１３１】
これに対して、再生対象のクリップデータが通常クリップのうち、注意喚起クリップでない場合、ステップＳ６８においてＮＯであると判定されて、処理はステップＳ７１に進む。
【０１３２】
ステップＳ７１において、再生制御部１３４は、通常クリップを再生するための制御を実行する。
【０１３３】
ここで、最終編集確認時に、第１乃至第３のマークが付加されたクリップが再生される様子を具体的に説明する。
【０１３４】
[最終編集確認用再生の具体例]
図１０は、最終編集確認用再生の具体例について説明する図である。
【０１３５】
図１０には、コンテンツを構成するクリップのうち、クリップＣＬ１１乃至ＣＬ２０が示されている。クリップＣＬ１１乃至ＣＬ２０は、その順番で連続して再生される。
【０１３６】
クリップＣＬ１１乃至ＣＬ１４は、通常クリップである。
【０１３７】
ここで、通常クリップのうち、注意喚起クリップには、第３のマークとしての第３の外枠がクリップの外周に付加され、注意喚起クリップ以外の通常クリップには、何ら外枠が付加されない。
【０１３８】
ここで、注意喚起クリップは、通常クリップのうち、今後再生予定の、すなわち、着目されるクリップより時間的に後に再生されるクリップであって、ｍ個先までの各クリップの中に集中クリップが少なくとも１つ含まれるものをいう。ｍの値は１以上の任意の整数値であり、図１０の例では、ｍ＝３とされている。
【０１３９】
例えば、通常クリップであるクリップＣＬ１１に着目すると、今後再生予定のｍ（＝３）個先までのクリップは、クリップＣＬ１２乃至ＣＬ１４である。クリップＣＬ１２乃至ＣＬ１４は、すべて通常クリップであり、集中クリップは含まれていない。したがって、通常クリップであるクリップＣＬ１１は、注意喚起クリップではないため、第３の外枠は付加されない。
【０１４０】
これに対して、通常クリップであるクリップＣＬ１２に着目すると、今後再生予定のｍ（＝３）個先までのクリップは、クリップＣＬ１３乃至ＣＬ１５である。クリップＣＬ１３及びＣＬ１４は通常クリップであるが、クリップＣＬ１５は集中クリップである。したがって、通常クリップであるクリップＣＬ１２は、注意喚起クリップであるため、第３の外枠が付加される。同様に考えて、クリップＣＬ１３、クリップＣＬ１４も、注意喚起クリップであるため、第３の外枠が付加される。
【０１４１】
なお、図１０の例では、注意喚起クリップに付加される第３の外枠は点線で示されているが、上述したように、黄等の第１の外枠よりも目立つ色の外枠としてもよい。
【０１４２】
双方向の矢印Ｐで示されるクリップＣＬ１５乃至ＣＬ１８は集中クリップであり、第１のマークとしての第１の外枠がクリップの外周に付加される。図１０の例では、第１の外枠は太線で示されているが、上述したように、赤等の目立つ色の外枠としてもよい。
【０１４３】
クリップＣＬ２０は気楽クリップであり、第２のマークとしての第２の外枠がクリップの外周に付加されている。図１０の例では、第２の外枠は一点鎖線で示されているが、上述したように、緑等の目立たない色の外枠としてもよい。
【０１４４】
最終編集確認時にコンテンツが再生されると、はじめに通常クリップであるクリップＣＬ１１が再生される。クリップＣＬ１１には外枠が付加されていないので、編集者は通常の注意力で最終編集確認を行うことができることが分かる。
【０１４５】
次に、注意喚起クリップであるＣＬ１２乃至ＣＬ１４が再生される。クリップＣＬ１２乃至ＣＬ１４には目立つ第３の外枠が付加されているので、編集者に対しては、集中して確認作業を行う必要がある集中クリップの再生が近づいていることが報知される。編集者は、この報知によって、注意が喚起される。これにより、編集者は、クリップＣＬ１２乃至ＣＬ１４が再生されている間に、集中した状態に移行することができるので、集中クリップが再生されるときには、集中した状態を維持して最終編集確認を行うことができる。
【０１４６】
次に、集中クリップであるクリップＣＬ１５乃至ＣＬ１８が再生される。クリップＣＬ１５乃至ＣＬ１８には第１の外枠が付加されているので、編集者は集中して最終編集確認を行う必要があることが分かる。クリップＣＬ１５乃至ＣＬ１８は、部分編集確認用再生の合計回数が第１の閾値以下であったことから、編集者は部分編集確認時に十分な編集の確認ができていない可能性もある。したがって、編集者は最終編集確認時に第１の外枠が付加されたクリップＣＬ１５乃至ＣＬ１８が再生されている間は、集中して最終編集確認を行うことにより、編集内容の漏れのない確認をすることができる。
【０１４７】
次に、通常クリップであるクリップＣＬ１９が再生される。クリップＣＬ１９には外枠が付加されていないので、編集者は通常の注意力で最終編集確認を行うことができることが分かる。
【０１４８】
次に、気楽クリップであるクリップＣＬ２０が再生される。クリップＣＬ２０には第２の外枠が付加されているので、編集者はある程度気楽に最終編集確認を行ってもよいことが分かる。
【０１４９】
図９のフローチャートの説明に戻り、ステップＳ７２において、最終編集確認用再生処理部１３３の判定部１９２は、最後のクリップが再生されたかを判定する。
【０１５０】
最後のクリップが再生されていない場合、ステップＳ７２においてＮＯであると判定されて、処理はステップＳ６２に戻され、それ以降の処理が繰り返される。すなわち、最後のクリップが再生されるまでの間、ステップＳ６２乃至Ｓ７２のループ処理が繰り返され、クリップの種類毎に異なるマークが付加されて動画像が表示される。
【０１５１】
その後、最後のクリップが再生された場合、最終編集確認用再生処理は終了する。すなわち、図４のステップＳ５の処理が終了して、確認用再生処理は終了する。
【０１５２】
このように、最終編集確認時にクリップの種類毎に異なるマークが付加されてコンテンツが再生されるので、編集者は、最終編集確認時に要求される注意力のレベルを容易に認識することができる。したがって、編集者は、最終編集確認時に集中すべき状態とそうでない状態とのメリハリをつけることができ、注意力が散漫になることなく編集内容の漏れのない確認が容易となる。
【０１５３】
また、編集者以外の人物に対しても、最終編集確認時に特に注意して確認すべきクリップを容易に認識させることができる。すなわち、編集者以外の人物が最終編集確認を行う場合、編集者以外の人物は、部分編集確認時の再生回数が少なく、編集者が十分に編集の確認ができていない可能性があるクリップを特に注意して確認する必要がある。したがって、編集者以外の人物は、集中クリップを特に注意して最終編集確認を行うことにより、編集内容の漏れのない確認を容易に行うことができる。
【０１５４】
図１１は、最終編集確認用再生の他の具体例について説明する図である。
【０１５５】
図１１Ａと図１１Ｂには、コンテンツを構成するクリップのうち、クリップＣＬ３１乃至ＣＬ４０、ＣＬ５１乃至ＣＬ６０が示されている。クリップＣＬ３１乃至ＣＬ４０、ＣＬ５１乃至ＣＬ６０は、それぞれその順番で連続して再生される。なお、図１１の例では、集中クリップ、気楽クリップ、及び通常クリップについては、図１０と同様であるのでその説明を省略し、注意喚起クリップについてのみ説明する。
【０１５６】
図１１ＡのクリップＣＬ３２乃至ＣＬ３４は、注意喚起クリップであり、第３の外枠が付加されている。この第３の外枠は、２点鎖線で示されている。クリップＣＬ３２乃至ＣＬ３４に付加される第３の外枠は、点滅する外枠とされる。すなわち、第３の外枠は、線や色の種類は任意であるが、編集者に注意を喚起するために目立つものとされる。
【０１５７】
最終編集確認時においては、注意喚起クリップであるクリップＣＬ３２乃至ＣＬ３４は、例えば、点滅表示する第３の外枠が付加されて再生される。このように、編集者に対しては、第３の外枠が点滅表示されることによって、集中して確認作業を行う必要がある集中クリップの再生が近づいていることが報知される。編集者は、この報知によって、注意が喚起される。すなわち、編集者は、集中クリップの再生直前に、集中した状態に移行することができるので、集中クリップが再生されるときには、集中した状態を維持して最終編集確認を行うことができる。
【０１５８】
図１１ＢのクリップＣＬ５２乃至ＣＬ５４は、注意喚起クリップであり、第３のマークとして、集中クリップの再生が開始されるまでの間隔を表わす機能を有するマーク（以下、インジケータと称する）が表示される。図１１Ｂの第３のマークとしてのインジケータは、例えば、コンテンツが表示される表示部１１１の右下に円状のマークとして表示される。クリップＣＬ５２にはインジケータとして３つの円状のマークが表示される。クリップＣＬ５３にはインジケータとして２つの円状のマークが表示される。クリップＣＬ５４にはインジケータとして１つの円状のマークが表示される。すなわち、集中クリップが近づくにつれてインジケータである円状のマークの表示数が３、２、１と順次減少するように表示される。すなわち、この例では、円状のマークの表示数が、集中クリップの再生が開始されるまでの間隔を表わしている。円状のマークの表示数に代えて、３、２、１等の数字をインジケータとすることもできる。
【０１５９】
最終編集確認時においては、注意喚起クリップであるクリップＣＬ５２乃至ＣＬ５４は、例えば、第３のマークとしてのインジケータが表示されて再生され、集中クリップが近づくにつれてインジケータの表示数が減少する。このように、編集者に対しては、第３のマークとしてのインジケータの表示数が減少することによって、集中して確認作業を行う必要がある集中クリップの再生が近づいていることが報知される。編集者は、この報知によって、注意が喚起される。すなわち、編集者は、集中クリップの再生直前に、集中した状態に移行することができるので、集中クリップが再生されるときには、集中した状態を維持して最終編集確認を行うことができる。なお、図１１Ａと図１１Ｂの例を組み合わせ、インジケータを点滅させるようにしてもよい。
【０１６０】
図１２は、最終編集確認用再生の他の具体例について説明する図である。
【０１６１】
図１２の表示部１１１の下側には、コンテンツを構成するクリップの一部であるクリップＣＬ７１乃至ＣＬ７５のサムネイルが示されている。また、表示領域２０１には、編集後のコンテンツが表示される。図１２の場合、第１乃至第３のマークは、表示領域２０１に表示されるコンテンツに付加される。このように、最終編集確認時には表示領域２０１に、クリップの種類毎に異なるマークがつけられたコンテンツが再生されるので、編集者は、最終編集確認時に要求される注意力のレベルを容易に認識することができる。
【０１６２】
本実施形態では、コンテンツのデータが部分的に編集されると、部分編集確認用再生の合計回数が計測され、合計回数に応じて、クリップに付加されるマークの種類が決定される。この場合、合計回数の計測対象は、上述の実施形態では、１つのクリップデータ又はその一部であるシーンデータの再生とされた。しかしながら、合計回数の計測対象は、特にこれに限定されない。
【０１６３】
例えば、クリップ間のつながりが不自然であると、コンテンツの再生の際に鑑賞者に強い違和感を与えてしまうため、編集者は、最終編集確認時にクリップとクリップのつなぎ点の編集内容を特に注意して確認する必要がある。したがって、例えば、部分編集確認用再生の計測対象は、クリップとクリップのつなぎ点の再生回数とすることができる。
【０１６４】
すなわち、編集部１５１は、編集対象のつなぎ点に対して、例えば、カット、フェードイン、フェードアウト等の映像効果を施す画像処理を施すことによって、当該クリップデータのつなぎ点を編集する。
【０１６５】
計測部１５２は、再生制御部１３４の制御により編集部１５１が編集したつなぎ点の部分編集確認用再生が実行される毎に、再生回数を１だけインクリメントすることによって、部分編集確認用再生の合計回数を計測する。このとき、つなぎ点の前に存在するクリップの終了点よりも数秒前から、つなぎ点の後ろに存在するクリップの開始点から数秒後までが連続して再生された場合に、つなぎ点の部分編集確認用再生が実行されたとして合計回数が計測される。したがって、部分編集確認用再生時にクリップ全体が再生される必要はない。なお、計測部１５２は、編集によりつなぎ点の前後のクリップの内容が変化した場合には、最終編集確認時に集中して確認することが必要となるので、計測部１５２は、部分編集確認用再生の合計回数を０にリセットする。
【０１６６】
クリップ設定部１７３は、つなぎ点の部分編集確認用再生の合計回数に応じて、処理対象のクリップを、気楽クリップ、集中クリップ、及び通常クリップのうちの何れかに設定する。すなわち、部分編集確認用再生の合計回数が少なかったつなぎ点の前後のクリップは集中クリップに設定され、合計回数が多かったつなぎ点の前後のクリップは気楽クリップに設定され、それ以外のクリップは通常クリップに設定される。
【０１６７】
マーク付加部１９３は、最終編集確認用再生時に、クリップの種類毎に異なるマークを付加する。すなわち、マーク付加部１９３は、集中クリップには第１のマークを付加し、気楽クリップには第２のマークを付加する。また、マーク付加部１９３は、通常クリップのうち、今後再生予定のｍ個先までに再生される各クリップの中に集中クリップが少なくとも１つ含まれる注意喚起クリップには第３のマークを付加する。
【０１６８】
再生制御部１３４は、クリップの種類毎に異なるマークのデータが付加されたクリップのクリップデータを再生するための制御を実行する。
【０１６９】
このように、最終編集確認時にクリップの種類毎に異なるマークがつけられてコンテンツが再生されるので、編集者は、つなぎ点の最終編集確認時に要求される注意力のレベルを容易に認識することができる。したがって、編集者は、つなぎ点の最終編集確認時に集中すべき状態とそうでない状態とのメリハリをつけることができ、注意力が散漫になることなく編集内容の漏れのない確認が容易となる。
【０１７０】
また、計測される編集操作の対象を、クリップ内のシーンデータ及びクリップとクリップのつなぎ点の両方としてもよい。この場合、付加するマークの表示を区別することにより、編集者がクリップ内のコンテンツデータとつなぎ点のどちらに注意して最終編集確認を行うべきかが分かるようにする。
【０１７１】
なお、上述の例では、部分編集確認用再生の合計回数に応じて処理対象のクリップを、気楽クリップ、集中クリップ、及び通常クリップの３種類のうちのいずれかに分類した。しなしながら、これに限定されず、編集者は、処理対象のクリップを任意の数のクリップの種類に分類することができ、そのための任意の数の閾値を設定することができる。
【０１７２】
また、上述の例では、クリップの分類は、部分編集確認用再生の合計回数に応じて行った。しかしながら、編集者がクリップの分類を指定してもよい。すなわち、編集者は、入力部２６を操作して、部分編集確認用再生の合計回数が多いクリップであっても、最終編集確認時にもう一度集中して確認すべきであるクリップを集中クリップに設定することができる。また、編集者は、入力部２６を操作して、部分編集確認用再生の合計回数が少ないクリップであっても、最終確認時にある程度気楽に確認してもよいクリップを気楽クリップに設定することができる。さらにマークとしては、枠、円の図形以外の線、図形等を採用することができる。
【０１７３】
[本発明のプログラムへの適用]
上述した一連の処理は、ハードウェアにより実行させることもできるし、ソフトウェアにより実行させることができる。
【０１７４】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、ネットワークや記録媒体からインストールされる。
【０１７５】
このようなプログラムを含む記録媒体は、図１に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（MD（Mini-Disk）を含む）、もしくは半導体メモリなどよりなるリムーバブルメディア（パッケージメディア）３２により構成されるだけでなく、装置本体に予め組み込まれた状態でユーザに提供される、プログラムが記録されているROM２２や、記憶部２９に含まれるハードディスクなどで構成される。
【０１７６】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０１７７】
本発明は、コンテンツの編集を行う編集装置に適用することができる。
【符号の説明】
【０１７８】
１  編集装置，  ２１  COU，  ２６  入力部，  ２７  出力信号生成部，  ２８  出力部，  ２９  記憶部，  ３０  通信部，  ５１  情報検出部，  ５２  データベース化処理部，  ７１  編集制御部，  ７２  書込読出処理部，  ９１  動画出力信号生成部，  ９２  音声出力信号生成部，  １１１  表示部，  １１２  音声出力部，  １３１  編集処理部，  １３２  クリップ分類部，  １３３  最終編集確認用再生処理部，  １３４  再生制御部，  １５１  編集部，  １５２  計測部，  １７１  閾値設定部，  １７２  判定部，  １７３  クリップ設定部，  １９１  抽出部，  １９２  判定部，  １９３  マーク付加部
【図１】
2012085186.tif 000003
【図２】
2012085186.tif 000004
【図３】
2012085186.tif 000005
【図４】
2012085186.tif 000006
【図５】
2012085186.tif 000007
【図６】
2012085186.tif 000008
【図７】
2012085186.tif 000009
【図８】
2012085186.tif 000010
【図９】
2012085186.tif 000011
【図１０】
2012085186.tif 000012
【図１１】
2012085186.tif 000013
【図１２】
2012085186.tif 000014